(57)【要約】【課題】廃棄物の腐蝕を促進させるために、廃棄物ピット内への浸透を許容しながら、発生するガスを抜き去ることができ、かつ経済性に優れる最終覆土用シートを提供すること。【解決手段】表面を均した廃棄物２と最終覆土４との間に用いる３層の積層シート３を、不織布からなる保護シート３１、所定の孔３５を有する合成樹脂製の凹凸シート３２及び不織布からなる分離シート３３を、透水係数が１×１０−２ｃｍ／ｓｅｃ〜１×１０ｃｍ／ｓｅｃで、通水性能が１×１０−１ｃｍ２／ｓｅｃ以上となるように順次重ねて形成する。【選択図】  図１
2005007265.tif 000002
【特許請求の範囲】
【請求項１】
廃棄物処分場で表面を均した廃棄物と最終覆土との間に用いる３層の積層シートであって、不織布からなる保護シート、所定の孔を有する合成樹脂製の凹凸シート及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて形成したことを特徴とする最終覆土用積層シート。
【請求項２】
凹凸シートに、保護シートと分離シートの少なくとも一方を一体化して積層したことを特徴とする請求項１記載の最終覆土用積層シート。
【請求項３】
凹凸シートの見かけ厚みＨが８〜５０ｍｍ、厚みＬが０．５〜２ｍｍで、耐圧強度が２×１０４Ｐａ以上であることを特徴とする請求項１又は２記載の最終覆土用シート。
【請求項４】
廃棄物処分場で表面を均した廃棄物と最終覆土との間に用いる３層の積層シートであって、不織布からなる保護シート、開口部が６０％以下の合成樹脂製のネット及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて形成したことを特徴とする最終覆土用積層シート。
【請求項５】
ネットに、保護シートと分離シートの少なくとも一方を一体化して積層したことを特徴とする請求項４記載の最終覆土用積層シート。
【請求項６】
ネットの見かけ厚みが１．５〜１０ｍｍで、耐圧強度が２×１０４Ｐａ以上であることを特徴とする請求項４又は５記載の最終覆土用積層シート。
【請求項７】
保護シートが厚み２〜１０ｍｍのスパンボンド不織布又は厚み５〜２０ｍｍの短繊維不織布、分離シートが厚み０．２〜１０ｍｍのスパンボンド不織布であることを特徴とする請求項１、２、３、４、５又は６記載の最終覆土用積層シート。
【請求項８】
保護シートと分離シートの少なくとも一方が、合成繊維からなる不織布であることを特徴とする請求項１、２、３、４、５、６又は７記載の最終覆土用積層シート。
【請求項９】
３層の積層シートが、排水設備が設けられた廃棄物処分場で使用されることを特徴とする請求項１、２、３、４、５、６、７又は８記載の最終覆土用積層シート。
【発明の詳細な説明】
【０００１】
【発明の属する技術分野】
本発明は、廃棄物処分場の最終覆土に用いるシートに関し、特に、廃棄物ピット内への浸透を許容しながら、発生するガスを抜き去ることができ、かつ経済性に優れる最終覆土用シートに関するものである。
【０００２】
【従来の技術】
従来から、廃棄物が満杯になった処分場はその全表面に覆土し、その処分場を閉鎖するようにしていた。
しかしながら最近においては、その廃棄物から発生するガスが問題となり、このガスを抜くため、最終覆土を含めた多種多様なキャッピングに使用するシートやこれ等を使用した構造や施工方法が提案されている。
【０００３】
このような廃棄物処分場のキャッピング構造としては、例えば、処分場の表層に、遮水性又は難透水性を有する部分を、その下縁に沿って排水施設を、排水施設の反対側に沿って透水性を有する部分を帯状に交互に形成する最終覆土工法が知られている（例えば、特許文献１参照）。
また、他の廃棄物処分場のキャッピング構造としては、通気性と防水性を有する透湿性防水シートで、処分場の上面全体を覆うようにした廃棄物処分施設も周知である（例えば、特許文献２参照）。
【０００４】
【特許文献１】
特許第３３５４９２０号公報
【特許文献２】
特開平１１−１０１０４号公報
【０００５】
【発明が解決しようとする課題】
しかしながら、前者は、少量の水の廃棄物内への浸透を許容する前提になっているが、その施工には莫大な手間を要する工法であり、また、後者は、水の廃棄物内への浸透を一切許容しない前提となっており、このため非常に高価な透湿性防水シートを使用しその経済性に問題を残している。
【０００６】
本発明は、上記従来の廃棄物処分場のキャッピング構造が有する問題点に鑑み、廃棄物の腐蝕を促進させるために、廃棄物ピット内への浸透を許容しながら、発生するガスを抜き去ることができ、かつ経済性に優れる最終覆土用シートを提供することを目的とする。
【０００７】
【課題を解決するための手段】
上記目的を達成するため、本第１発明の最終覆土用積層シートは、廃棄物処分場で表面を均した廃棄物と最終覆土との間に用いる３層の積層シートであって、不織布からなる保護シート、所定の孔を有する合成樹脂製の凹凸シート及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて形成したことを特徴とする。
【０００８】
この最終覆土用積層シートは、不織布からなる保護シート、所定の孔を有する合成樹脂製の凹凸シート及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて３層の積層シートを形成することから、最終覆土上に降り注ぎ浸透する雨は、３層の積層シートの内部空間を通り廃棄物処分場の表面周縁に排水され、３層の積層シートから投棄ピット内に漏れる水量も制限され排水設備の能力を超すことはなく、また、投棄ピット内に浸入した水は適度に廃棄物の腐蝕を促し、腐蝕により発生するガスは３層の積層シートを通じて外部に排出されることになる。
【０００９】
この場合において、凹凸シートに、保護シートと分離シートの少なくとも一方を一体化して積層することができる。
【００１０】
これにより、施工現場においてシートの重ね合わせ作業等が省かれ、工事そのものの効率を大きく向上させることができる。
【００１１】
また、凹凸シートの見かけ厚みＨを８〜５０ｍｍ、厚みＬを０．５〜２ｍｍ、耐圧強度を２×１０４Ｐａ以上とすることができる。
【００１２】
これにより、必要充分な通水空間が確保でき、作業中や作業後に発生する材料強度に係る問題も解消されることになる。
【００１３】
一方、本第２発明の最終覆土用積層シートは、廃棄物処分場で表面を均した廃棄物と最終覆土との間に用いる３層の積層シートであって、不織布からなる保護シート、開口部が６０％以下の合成樹脂製のネット及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて形成したことを特徴とする。
【００１４】
この最終覆土用積層シートは、不織布からなる保護シート、開口部が６０％以下の合成樹脂製のネット及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて３層の積層シートを形成することから、最終覆土上に降り注ぎ浸透する雨は、３層の積層シートの内部空間を通り廃棄物処分場１０の表面周縁に排水され、３層の積層シートから投棄ピット内に漏れる水量も制限され排水設備の能力を超すことはなく、また、投棄ピット内に浸入した水は適度に廃棄物の腐蝕を促し、腐蝕により発生するガスは３層の積層シートを通じて外部に排出されることになる。
【００１５】
この場合において、ネットに、保護シートと分離シートの少なくとも一方を一体化して積層することができる。
【００１６】
これにより、施工現場においてシートの重ね合わせ作業等が省かれ、工事そのものの効率を大きく向上させることができる。
【００１７】
また、ネットの見かけ厚みを１．５〜１０ｍｍ、耐圧強度を２×１０４Ｐａ以上とすることができる。
【００１８】
これにより、必要充分な通水空間が確保でき、作業中や作業後に発生する材料強度に係る問題も解消されることになる。
【００１９】
また、保護シートが厚み２〜１０ｍｍのスパンボンド不織布又は厚み５〜２０ｍｍの短繊維不織布、分離シートが厚み０．２〜１０ｍｍのスパンボンド不織布とすることができる。
【００２０】
これにより、透水係数が１×１０−２ｃｍ／ｓｅｃ〜１×１０ｃｍ／ｓｅｃで、通水性能が１×１０−１ｃｍ２／ｓｅｃ以上である３層の積層シートの形成がより容易になり、保護シートと分離シートは共に優れた柔軟性、強度、保水性を持つことになる。
【００２１】
また、保護シートと分離シートの少なくとも一方を、合成繊維からなる不織布とすることができる。
【００２２】
これにより、保護シートや分離シートの腐蝕はなくなり、最終覆土用積層シートを長期に亘って維持することができる。
【００２３】
また、３層の積層シートを、排水設備が設けられた廃棄物処分場で使用するようにすることができる。
【００２４】
これにより、廃棄物処分場を水浸しにすることなく、最終覆土用積層シートの作用を充分に発揮させることができる。
【００２５】
【発明の実施の形態】
以下、本発明の実施の形態を図面に基づいて説明する。
【００２６】
図１〜図５に、本発明の廃棄物処分場の最終覆土用積層シートの一実施例を示す。
この最終覆土用積層シート１は、表面を均して土５を載せた廃棄物２と最終覆土４との間に用いる３層の積層シート３であり、３層の積層シート３を貫通、すなわち、縦断する方向の透水係数が１×１０−２ｃｍ／ｓｅｃ〜１×１０ｃｍ／ｓｅｃ、３層の積層シート３を横断する方向の通水性能が１×１０−１ｃｍ２／ｓｅｃ以上となるように、不織布からなる保護シート３１、所定の孔３５を有する合成樹脂製の凹凸シート３２、不織布からなる分離シート３３を順次重ねて形成されている。
【００２７】
このように形成されることにより、廃棄物処分場の最終覆土４工事に使用された場合、最終覆土４上に降り注ぎ浸透する雨は、３層の積層シート３の内部空間を通り廃棄物処分場の表面周縁に排水され、３層の積層シート３から投棄ピット１２内に漏れる水量も制限され排水設備１１の能力を超すことはない。また、投棄ピット１２内に浸入した水は適度に廃棄物２の腐蝕を促し、腐蝕により発生するガスは３層の積層シート３を通じて外部に排出されることになる。
【００２８】
３層の積層シート３そのものは、加熱、超音波、高周波等による融着手段、ホットメルト、接着剤、粘着剤等による接合手段又はビス止め等の機械的手段で、３層の積層シート３が合成樹脂製の凹凸シート３２を挟み上下に保護シート３１と分離シート３３とを、又は、凹凸シート３２の片面に保護シート３１と分離シート３３のどちらかを一体化することができる。この場合、施工現場においてシートの重ね合わせ作業等が省かれ、工事そのものの効率を大きく向上させることになる。
【００２９】
また、図１で示すように、凹凸シート３２は中空部３７を有し、その見かけ厚みＨが８〜５０ｍｍ（８ｍｍより薄い場合は通水空間が確保できず、５０ｍｍより厚い場合は嵩張り持ち運びで問題が生じる）、その厚みＬが０．５〜２ｍｍ（０．５ｍｍより薄い場合は必要強度が確保できず、２ｍｍより厚い場合は柔軟性で問題が生じる）に規制され、適度に孔３５（図１では凹凸の頂部に設けているが、このほか、中空部の壁部分等に設けるようにすることができ、その形成部位は、特に限定されるものではない。）を設けその通水性能を調整し、更にその平面耐圧強度も２×１０４Ｐａ以上に規制されている。
【００３０】
また、図１では上下に凹凸と中空部３７を設けているが、凹凸シート３２そのものは上部で中空部３７を有する凸部のみ、下部で中空部３７を有する凹部のみを設けた形状であってもよい。
そして、このように形成した３層の積層シート３は廃棄物処分場の最終覆土４の工事において、必要充分な通水空間を確保し、作業中、作業後に発生する材料強度に係る問題も解消することになる。
【００３１】
図２は、上記凹凸シート３２を、開口部３６が６０％以下の合成樹脂製のネット３４に替えた実施例を示し、図３は、そのネット３４の形状を示している。
ネット３４は、その見かけ厚みＭが１．５〜１０ｍｍ（１．５ｍｍより薄い場合は必要強度が確保できず、１０ｍｍより厚い場合は柔軟性で問題が生じる）で、かつ耐圧強度が２×１０４Ｐａ以上に規制されている。
そして、上記凹凸シート３２を用いた３層の積層シート３と同様に、最終覆土４上に降り注ぎ浸透する雨は、３層の積層シート３の内部空間を通り廃棄物処分場の表面周縁に排水される。また、図示しないが、ネット３４の形状は上記の角目の他、菱目、亀甲等があり、特に限定されるものでない。
なお、３層の積層シート３の芯材にネット３４を用いる場合は、図２に示すように、交差する単糸の太さを変えることでより中空部３７が確保でき、通水空間の観点においてより好ましくなる。
【００３２】
また、このような合成樹脂製のネット３４を使用した３層の積層シート３においても、上記凹凸シートと同様に、加熱、超音波、高周波等による融着手段、ホットメルト、接着剤、粘着剤等による接合手段又はビス止め等の物理的手段で、合成樹脂製のネット３４を挟み上下に保護シート３１と分離シート３３とを、又は、ネット３４の片面に保護シート３１と分離シート３３のどちらかを一体化することができる。
【００３３】
そして、凹凸シート３２の場合と同様に、施工現場においてシートの重ね合わせ作業等が省かれ、工事そのものの効率を大きく向上させることになる。同様に、必要充分な通水空間が確保でき、作業中、作業後に発生する材料強度に係る問題も解消されることになる。
【００３４】
また、凹凸シート３２やネット３４を形成する合成樹脂には、成形性の良さから熱可塑性樹脂が好適に使用でき、特に、汎用性の高い、ビニル系の塩化ビニルや酢酸ビニル等、オレフィン系のポリエチレン、ポリプロピレン等、これ等合成樹脂の混合体、これ等合成樹脂とエチレン−酢酸ビニル等の共重合体類やエラストマ−類や変性ポリオレフィン類等のとの混合物が好適に使用できる。
【００３５】
また、保護シート３１には、厚みが２〜１０ｍｍのスパンボンド不織布又は厚みが５〜２０ｍｍの短繊維不織布、また、分離シート３３には、厚み０．２〜１０ｍｍのスパンボンド不織布を好適に使用でき、このような不織布を選択するすることで、必要な不織布そのものの透水係数、通水性能、保水性能、柔軟性、強度性等が可能になり、本発明で限定する透水係数が１×１０−２ｃｍ／ｓｅｃ〜１×１０ｃｍ／ｓｅｃ、通水性能が１×１０−１ｃｍ２／ｓｅｃ以上である３層の積層シート３の形成がより容易になる。
【００３６】
また、保護シート３１や分離シート３３が合成繊維からなる不織布であってもよく、このような場合は、保護シート３１や分離シート３３の腐蝕はなくなり、本発明の廃棄物処分場の最終覆土用シート１は長期に亘って維持されることになる。
【００３７】
図４は、排水設備１１や遮水シート１３が設けられている廃棄物処分場で最終覆土用シート１を使用する状態を示し、３層の積層シート３から投棄ピット１２内に漏れる水量も制限され、排水設備１１の能力を超すことはない。
また、投棄ピット１２内に浸入した水は、適度に廃棄物２の腐蝕を促し、腐蝕により発生するガスは３層の積層シート３を通じて外部に排出されることになる。
そして、本発明の廃棄物処分場の最終覆土用シート１は、廃棄物処分場を水浸しにすることなく、その作用を充分に奏することになる。
【００３８】
以上、本発明の実施例を説明したが、本発明の廃棄物処分場の最終覆土用シートは、この実施例の記載に限定されるものではなく、その趣旨を逸脱しない範囲において適宜に変更することが可能である。
【００３９】
【発明の効果】
本発明の廃棄物処分場の最終覆土用シートによれば、不織布からなる保護シート、所定の孔を有する合成樹脂製の凹凸シート及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて３層の積層シートを形成することから、最終覆土上に降り注ぎ浸透する雨は、３層の積層シートの内部空間を通り廃棄物処分場の表面周縁に排水され、３層の積層シートから投棄ピット内に漏れる水量も制限され排水設備の能力を超すことはなく、また、投棄ピット内に浸入した水は適度に廃棄物の腐蝕を促し、腐蝕により発生するガスは３層の積層シートを通じて外部に排出されることになる。
【００４０】
この場合、凹凸シートに、保護シートと分離シートの少なくとも一方を一体化して積層することにより、施工現場においてシートの重ね合わせ作業等が省かれ、工事そのものの効率を大きく向上させることができる。
【００４１】
また、凹凸シートの見かけ厚みＨを８〜５０ｍｍ、厚みＬを０．５〜２ｍｍ、耐圧強度を２×１０４Ｐａ以上とすることにより、必要充分な通水空間が確保でき、作業中や作業後に発生する材料強度に係る問題も解消されることになる。
【００４２】
一方、本第２発明の最終覆土用積層シートによれば、不織布からなる保護シート、開口部が６０％以下の合成樹脂製のネット及び不織布からなる分離シートを、透水係数が１×１０−２ｃｍ／ｓｅｃ〜１×１０ｃｍ／ｓｅｃで、通水性能が１×１０−１ｃｍ２／ｓｅｃ以上となるように順次重ねて３層の積層シートを形成することから、最終覆土上に降り注ぎ浸透する雨は、３層の積層シートの内部空間を通り廃棄物処分場の表面周縁に排水され、３層の積層シートから投棄ピット内に漏れる水量も制限され排水設備の能力を超すことはなく、また、投棄ピット内に浸入した水は適度に廃棄物の腐蝕を促し、腐蝕により発生するガスは３層の積層シートを通じて外部に排出されることになる。
【００４３】
この場合、ネットに、保護シートと分離シートの少なくとも一方を一体化して積層することにより、施工現場においてシートの重ね合わせ作業等が省かれ、工事そのものの効率を大きく向上させることができる。
【００４４】
また、ネットの見かけ厚みを１．５〜１０ｍｍ、耐圧強度を２×１０４Ｐａ以上とすることにより、必要充分な通水空間が確保でき、作業中や作業後に発生する材料強度に係る問題も解消されることになる。
【００４５】
また、保護シートが厚み２〜１０ｍｍのスパンボンド不織布又は厚み５〜２０ｍｍの短繊維不織布、分離シートが厚み０．２〜１０ｍｍのスパンボンド不織布とすることにより、透水係数が１×１０−２ｃｍ／ｓｅｃ〜１×１０ｃｍ／ｓｅｃで、通水性能が１×１０−１ｃｍ２／ｓｅｃ以上である３層の積層シートの形成がより容易になり、保護シートと分離シートは共に優れた柔軟性、強度、保水性を持つことになる。
【００４６】
また、保護シートと分離シートの少なくとも一方を、合成繊維からなる不織布とすることにより、保護シートや分離シートの腐蝕はなくなり、最終覆土用積層シートを長期に亘って維持することができる。
【００４７】
また、３層の積層シートを、排水設備が設けられた廃棄物処分場で使用するようにすることにより、廃棄物処分場を水浸しにすることなく、最終覆土用積層シートの作用を充分に発揮させることができる。
【図面の簡単な説明】
【図１】本発明の最終覆土用積層シートの第１実施例を示す拡大断面図である。
【図２】本発明の最終覆土用積層シートの第２実施例を示す拡大断面図である。
【図３】ネットの一例を示す平面図である。
【図４】本発明の最終覆土用積層シートを用いた廃棄物処分場のキャッピング構造を示す断面図である。
【図５】同要部拡大断面図である。
【符号の説明】
１    最終覆土用積層シート
１１  排水施設
１２  投棄ピット
１３  遮水シート
２    廃棄物
３    ３層の積層シート
３１  保護シート
３２  凹凸シート
３３  分離シート
３４  ネット
３５  孔
３６  開口部
３７  中空部
４    最終覆土
５    均し土
Ｈ    凹凸シートの見かけ厚み
Ｌ    凹凸シートの厚み
Ｍ    ネットの見かけ厚み
【図１】
2005007265.tif 000003
【図２】
2005007265.tif 000004
【図３】
2005007265.tif 000005
【図４】
2005007265.tif 000006
【図５】
2005007265.tif 000007